(57)【特許請求の範囲】
【請求項１】
複数のエッジルータと、該複数のエッジルータに接続された管理サーバとを有する通信システムにおけるエッジルータへのユーザ端末割付方法であって、
前記管理サーバが、エッジルータに設定すべきユーザ情報をユーザ情報記憶部に格納するステップと、
前記管理サーバが、エッジルータへのユーザ端末の収容状況を収容状況記憶部に格納するステップと、
前記複数のエッジルータのうち第１のエッジルータが、ユーザ端末から設定要求を受信し、当該設定要求を前記管理サーバに送信するステップと、
前記管理サーバが、前記収容状況記憶部に格納された収容状況に基づいて、当該ユーザ端末を収容する第２のエッジルータを選択するステップと、
前記管理サーバが、当該ユーザ端末について前記ユーザ情報記憶部に格納されたユーザ情報を、前記第２のエッジルータに設定するステップと、
前記第２のエッジルータが、設定応答を当該ユーザ端末に送信するステップと、
を有するユーザ端末割付方法。
【請求項２】
前記管理サーバが、エッジルータの故障を検出するステップと、
前記管理サーバが、前記収容状況記憶部に格納された収容状況に基づいて、故障を検出したエッジルータに収容されているユーザ端末の切替先となる第３のエッジルータを選択するステップと、
前記管理サーバが、故障を検出したエッジルータに収容されているユーザ端末について前記ユーザ情報記憶部に格納されたユーザ情報を、前記第３のエッジルータに再設定するステップと、
前記第３のエッジルータが、再設定通知をユーザ端末に送信するステップと、
を更に有する、請求項１に記載のユーザ端末割付方法。
【請求項３】
前記選択するステップは、ユーザ端末の収容率が低い順にエッジルータを選択する、請求項１又は２に記載のユーザ端末割付方法。
【請求項４】
前記選択するステップは、第２のエッジルータを選択した場合、前記収容状況記憶部に格納された収容状況を更新する、請求項１乃至３のうちいずれか１項に記載のユーザ端末割付方法。
【請求項５】
前記複数のエッジルータが複数のプロトコルを終端する場合、前記収容状況記憶部は、プロトコル毎に収容状況を格納し、
前記選択するステップは、複数のプロトコルの収容状況に基づいて、前記第２のエッジルータを選択する、請求項１乃至４のうちいずれか１項に記載のユーザ端末割付方法。
【請求項６】
複数のエッジルータと、該複数のエッジルータに接続された管理サーバとを有する通信システムであって、
前記複数のエッジルータのうち第１のエッジルータは、
ユーザ端末から設定要求を受信し、当該設定要求を前記管理サーバに送信する設定要求送受信部を有し、
前記管理サーバは、
エッジルータに設定すべきユーザ情報を格納するユーザ情報記憶部と、
エッジルータへのユーザ端末の収容状況を格納する収容状況記憶部と、
前記第１のエッジルータからユーザ端末の設定要求を受信する設定要求受信部と、
前記収容状況記憶部に格納された収容状況に基づいて、当該ユーザ端末を収容する第２のエッジルータを選択するエッジルータ選択部と、
当該ユーザ端末について前記ユーザ情報記憶部に格納されたユーザ情報を、前記第２のエッジルータに設定するユーザ情報設定部と、
を有し、
前記第２のエッジルータは、
設定応答を当該ユーザ端末に送信する設定応答送信部を有する通信システム。
【請求項７】
複数のエッジルータに接続された管理サーバであって、
エッジルータに設定すべきユーザ情報を格納するユーザ情報記憶部と、
エッジルータへのユーザ端末の収容状況を格納する収容状況記憶部と、
複数のエッジルータのうち第１のエッジルータからユーザ端末の設定要求を受信する設定要求受信部と、
前記収容状況記憶部に格納された収容状況に基づいて、当該ユーザ端末を収容する第２のエッジルータを選択するエッジルータ選択部と、
当該ユーザ端末について前記ユーザ情報記憶部に格納されたユーザ情報を、前記第２のエッジルータに設定するユーザ情報設定部と、
を有する管理サーバ。
【発明の詳細な説明】
【技術分野】
【０００１】
本発明は、ユーザ端末割付方法、通信システム及び管理サーバに関する。
【背景技術】
【０００２】
ユーザが複数のエッジルータを含むネットワークへ加入する場合、ユーザは、いずれか１つのエッジルータにユーザ情報を設定することによりユーザ登録する。図１は、エッジルータにおけるユーザ登録を示す概念図である。ユーザ＃１のユーザ契約情報は、加入時の登録先であるエッジルータ＃１に保持される。また、ユーザ＃２のユーザ契約情報は、加入時の登録先であるエッジルータ＃２に保持される。ユーザ端末からの全てのサービスプロトコルの設定要求はユーザ登録したエッジルータのみで処理される（非特許文献１参照）。すなわち、ユーザ＃１のユーザ端末からのプロトコル設定要求（ＰＰＰ設定要求、ＤＨＣＰ設定要求、マルチキャスト設定要求等）は、エッジルータ＃１で処理される。
【０００３】
ユーザ契約情報はユーザ登録したエッジルータのみに設定されているため、通信を行うエッジルータを切り替える際は、再度切替先のエッジルータでユーザ登録を行う必要がある。
【先行技術文献】
【非特許文献】
【０００４】
【非特許文献１】ＬＡＮ構築のテクニック−Ｌ３スイッチの冗長構成http://itpro.nikkeibp.co.jp/members/NBY/techsquare/20040721/1/
【発明の概要】
【発明が解決しようとする課題】
【０００５】
上記のように、ユーザは、加入時に特定のエッジルータにユーザ登録する。すなわち、ユーザ毎にプロトコル設定を行うエッジルータが固定的に割付けられる。よって、エッジルータのユーザ収容率はユーザ加入時の登録先に依存するため、設備投資効率が低下する可能性がある。
【０００６】
また、ユーザ毎にプロトコル設定を行うエッジルータが固定的に割付けされており、ユーザ情報をエッジルータ間で移動する方法がない。このため、ユーザ端末との通信を切り替えることができず、例えば、エッジルータの故障によりユーザ登録先を切り替える必要が出てきたときに、改めてユーザ情報を切替先のエッジルータに登録し直す必要がある。その結果、ユーザ端末のマルチキャスト視聴状態や、トンネルプロトコルのシーケンス番号等を引き継ぐことが出来ず、トラヒックロスが発生し、サービスが停止することになる。
【０００７】
本発明は、ユーザ端末をエッジルータに動的に割り付けることを目的とする。
【課題を解決するための手段】
【０００８】
本発明のユーザ端末割付方法は、
複数のエッジルータと、該複数のエッジルータに接続された管理サーバとを有する通信システムにおけるエッジルータへのユーザ端末割付方法であって、
前記管理サーバが、エッジルータに設定すべきユーザ情報をユーザ情報記憶部に格納するステップと、
前記管理サーバが、エッジルータへのユーザ端末の収容状況を収容状況記憶部に格納するステップと、
前記複数のエッジルータのうち第１のエッジルータが、ユーザ端末から設定要求を受信し、当該設定要求を前記管理サーバに送信するステップと、
前記管理サーバが、前記収容状況記憶部に格納された収容状況に基づいて、当該ユーザ端末を収容する第２のエッジルータを選択するステップと、
前記管理サーバが、当該ユーザ端末について前記ユーザ情報記憶部に格納されたユーザ情報を、前記第２のエッジルータに設定するステップと、
前記第２のエッジルータが、ユーザ情報を設定し、設定応答を当該ユーザ端末に送信するステップと、
を有することを特徴とする。
【０００９】
また、本発明の通信システムは、
複数のエッジルータと、該複数のエッジルータに接続された管理サーバとを有する通信システムであって、
前記複数のエッジルータのうち第１のエッジルータは、
ユーザ端末から設定要求を受信し、当該設定要求を前記管理サーバに送信する設定要求送受信部を有し、
前記管理サーバは、
エッジルータに設定すべきユーザ情報を格納するユーザ情報記憶部と、
エッジルータへのユーザ端末の収容状況を格納する収容状況記憶部と、
前記第１のエッジルータからユーザ端末の設定要求を受信する設定要求受信部と、
前記収容状況記憶部に格納された収容状況に基づいて、当該ユーザ端末を収容する第２のエッジルータを選択するエッジルータ選択部と、
当該ユーザ端末について前記ユーザ情報記憶部に格納されたユーザ情報を、前記第２のエッジルータに設定するユーザ情報設定部と、
を有し、
前記第２のエッジルータは、
設定応答を当該ユーザ端末に送信する設定応答送信部を有することを特徴とする。
【００１０】
また、本発明の管理サーバは、
複数のエッジルータに接続された管理サーバであって、
エッジルータに設定すべきユーザ情報を格納するユーザ情報記憶部と、
エッジルータへのユーザ端末の収容状況を格納する収容状況記憶部と、
複数のエッジルータのうち第１のエッジルータからユーザ端末の設定要求を受信する設定要求受信部と、
前記収容状況記憶部に格納された収容状況に基づいて、当該ユーザ端末を収容する第２のエッジルータを選択するエッジルータ選択部と、
当該ユーザ端末について前記ユーザ情報記憶部に格納されたユーザ情報を、前記第２のエッジルータに設定するユーザ情報設定部と、
を有することを特徴とする。
【発明の効果】
【００１１】
本発明によれば、ユーザ端末をエッジルータに動的に割り付けることが可能になる。
【図面の簡単な説明】
【００１２】
【図１】エッジルータにおけるユーザ登録を示す概念図
【図２】本発明の実施例に係る通信システムの概念図
【図３】本発明の実施例に係るユーザ・網リソース管理サーバの機能ブロック図
【図４】網リソース記憶部及びユーザ契約情報記憶部に格納される情報の例
【図５】本発明の実施例に係るユーザ端末割付方法を示すシーケンス図
【発明を実施するための形態】
【００１３】
以下、本発明の実施例について詳細に説明する。
【００１４】
図２は、本発明の実施例に係る通信システムの概念図である。通信システムは、複数のエッジルータ＃１〜＃Ｍ（１０１〜１０Ｍ）と、ユーザ・網リソース管理サーバ２０とを有する。通信システムは、ユーザ認証を行う認証サーバ、トンネリングプロトコルやユーザの動画視聴状態等のセッションを制御するセッション制御サーバ、映像のようなコンテンツを配信する配信サーバ、ユーザ端末のデータを他のネットワークに転送する中継ルータ等を含んでもよい。
【００１５】
エッジルータ＃１〜＃Ｍ（１０１〜１０Ｍ）は、ＰＰＰ（Point-to-Point Protocol）を用いたインターネットアクセス、ＤＨＣＰ（Dynamic Host Configuration Protocol）によるＩＰ（Internet Protocol）アドレスの払い出し、マルチキャストによる映像配信といった様々なプロトコルを終端する。ユーザ＃１、＃２のユーザ端末は、Ｅｔｈｅｒｎｅｔ（登録商標）網等でエッジルータエッジルータ＃１〜＃Ｍ（１０１〜１０Ｍ）に接続される。
【００１６】
ユーザ・網リソース管理サーバ２０は、エッジルータのプロトコル毎のユーザ端末の収容状況（収容数、収容率等）のような網リソースを管理する。また、ユーザ・網リソース管理サーバ２０は、ユーザ契約情報（ユーザ端末のアドレス、パケットフィルタ設定等）を管理する。ユーザ契約情報は、エッジルータ＃１〜＃Ｍ（１０１〜１０Ｍ）にユーザ情報を設定する際に用いられる情報であり、ユーザの契約時に入力される情報である。更に、ユーザ・網リソース管理サーバ２０は、ＰＰＰセッション状態、マルチキャスト視聴状態等の複数のプロトコル状態を保持してもよい。
【００１７】
本発明の実施例では、エッジルータ＃１（１０１）を代表エッジルータとみなし、各ユーザ端末からのプロトコル設定要求（ＰＰＰ設定要求、ＤＨＣＰ設定要求、マルチキャスト設定要求等）を代表して受信する（Ｓ１０１）。ユーザ端末がプロトコル設定要求を全てのエッジルータにブロードキャストした場合、代表エッジルータ＃１（１０１）のみがプロトコル設定要求を受信し、他のエッジルータはプロトコル設定要求を破棄する。また、予め代表エッジルータ＃１（１０１）が分かっている場合、ユーザ端末は、代表エッジルータ＃１（１０１）のみにプロトコル設定要求を送信してもよい。ユーザ端末からのプロトコル設定要求を受信した代表エッジルータ＃１（１０１）は、プロトコル設定要求をユーザ・網リソース管理サーバ２０に送信する（Ｓ１０３）。
【００１８】
ユーザ・網リソース管理サーバ２０は、プロトコル種別、エッジルータのプロトコル毎のユーザ収容状況（収容数、収容率）、ユーザ契約情報に基づいて、プロトコル設定要求を処理するエッジルータを選択する。ここでは、エッジルータ＃Ｍ（１０Ｍ）が選択されたものとする。そして、ユーザ・網リソース管理サーバ２０は、選択したエッジルータ＃Ｍ（１０Ｍ）に対してユーザ情報（コンフィグレーション）設定を行う（Ｓ１０５）。ユーザ情報設定は、ユーザ・網リソース管理サーバ２０で管理されているユーザ契約情報を用いて、ユーザ・網リソース管理サーバ２０からエッジルータ＃Ｍ（１０Ｍ）に設定コマンドを送信することにより行われてもよい。このように、ユーザ情報とは、エッジルータに対して設定される情報を意味する。
【００１９】
選択されたエッジルータ＃Ｍ（１０Ｍ）は、ユーザ端末にプロトコル設定応答を送信する（Ｓ１０７）。このようにして、ユーザ端末と選択されたエッジルータ＃Ｍ（１０Ｍ）との間で当該プロトコルの通信が行われる。
【００２０】
なお、選択されたエッジルータ＃Ｍ（１０Ｍ）の故障時には、ユーザ・網リソース管理サーバ２０は、故障したプロトコル種別についてユーザ端末を収容するエッジルータの帰属関係に基づいて、別のエッジルータを選択し、ユーザ情報を再設定し、収容エッジルータの切り替えを行う。この場合、ＰＰＰセッション状態、マルチキャスト視聴状態が実行中であるユーザ端末のみを別のエッジルータに切り替えてもよい。そして、ユーザ情報画再設定されたエッジルータは、ユーザ端末に再設定通知を行い、ユーザ端末と通信する。
【００２１】
ユーザ・網リソース管理サーバ２０について更に詳細に説明する。
【００２２】
図３は、本発明の実施例に係るユーザ・網リソース管理サーバ２０の機能ブロック図である。ユーザ・網リソース管理サーバ２０は、網リソース記憶部２０１と、ユーザ契約情報記憶部２０３と、プロトコル設定要求受信部２１１と、エッジルータ選択部２１３と、ユーザ情報設定部２１５と、エッジルータ故障検出部２１７とを有する。
【００２３】
網リソース記憶部２０１は、図４（Ａ）に示すように、エッジルータへのユーザ端末の収容状況を格納する。例えば、エッジルータ毎の収容数、収容率等を格納する。図４には収容率が示されている。また、エッジルータがどのユーザ端末を収容しているかを示す帰属関係（エッジルータ毎の収容ユーザ端末）を格納してもよい。エッジルータが複数のプロトコルを終端する場合、網リソース記憶部２０１は、プロトコル毎に収容状況を格納する。図４（Ａ）に図示しないが、エッジルータと収容ユーザ端末との間のＰＰＰセッション状態、マルチキャスト視聴状態等の複数のプロトコル状態を格納してもよい。図４（Ａ）は、単なる一例であり、このような収容状況は、２つ以上のテーブルに格納されてもよい。
【００２４】
ユーザ契約情報記憶部２０３は、図４（Ｂ）に示すように、ユーザ契約情報を格納する。ユーザ契約情報は、ユーザ端末のアドレス、パケットフィルタ設定等を含み、エッジルータにユーザ情報を設定する際に用いられる。なお、ユーザ契約情報がそのままユーザ情報として設定される場合もあり、ユーザ端末から見えない認証サーバのアドレス等がユーザ情報として設定される場合もある。
【００２５】
プロトコル設定要求受信部２１１は、ユーザ端末のプロトコル設定要求を受信した代表エッジルータ＃１（１０１）から、プロトコル設定要求を受信する。
【００２６】
エッジルータ選択部２１３は、網リソース記憶部２０１に格納された収容状況に基づいて、プロトコル設定要求を送信したユーザ端末を収容するエッジルータを選択する。例えば、エッジルータ選択部２１３は、ユーザ端末の収容率が低い順にエッジルータを選択する。また、エッジルータが複数のプロトコルを終端する場合、仮にプロトコル設定要求に対応するプロトコルの収容率が低くても、他のプロトコルの収容率が高い場合には、複数のプロトコルの収容状況を総合的に判断して、エッジルータを選択する。エッジルータ選択部２１３は、エッジルータを選択した後に、網リソース記憶部２０１に格納された収容状況を更新し、収容状況を最新の状態に保持する。
【００２７】
ユーザ情報設定部２１５は、プロトコル設定要求を送信したユーザ端末についてユーザ契約情報記憶部２０３に格納されたユーザ契約情報を、選択されたエッジルータに設定する。なお、設定応答は、代表エッジルータ＃１（１０１）からではなく、選択されたエッジルータからユーザ端末に送信される。
【００２８】
エッジルータ故障検出部２１７は、エッジルータの故障を検出する。例えば、エッジルータ故障検出部２１７は、エッジルータの故障時にエッジルータから送信された故障情報を受信することにより、エッジルータの故障を検出する。この場合、エッジルータ選択部２１３は、網リソース記憶部２０１に格納された収容状況に基づいて、故障を検出したエッジルータに収容されているユーザ端末の切替先となるエッジルータを選択する。この場合も同様に、ユーザ端末の収容率が低い順に切替先となるエッジルータを選択してもよい。そして、ユーザ情報設定部２１５は、故障を検出したエッジルータに収容されているユーザ端末についてユーザ契約情報記憶部２０３に格納されたユーザ契約情報を用いて、ユーザ情報を切替先となるエッジルータに設定する。この場合、網リソース記憶部２０１に格納されたＰＰＰセッション状態、マルチキャスト視聴状態が実行中であるユーザ端末のみを別のエッジルータに切り替えてもよい。再設定通知は、切替先のエッジルータからユーザ端末に送信される。
【００２９】
図５は、本発明の実施例に係るユーザ端末割付方法を示すシーケンス図である。なお、ステップＳ１０１〜Ｓ１０７は、図２のステップＳ１０１〜１０７と同じである。すなわち、ユーザ端末＃１は、全てのエッジルータにプロトコル設定要求をブロードキャストする、或いは、代表エッジルータ＃１（１０１）にプロトコル設定要求を送信する（Ｓ１０１）。ユーザ端末からのプロトコル設定要求を受信した代表エッジルータ＃１（１０１）は、プロトコル設定要求をユーザ・網リソース管理サーバ２０に送信する（Ｓ１０３）。ユーザ・網リソース管理サーバ２０は、プロトコル設定要求を処理するエッジルータを選択する。ここでは、エッジルータ＃Ｍ（１０Ｍ）が選択されたものとする。そして、ユーザ・網リソース管理サーバ２０は、選択したエッジルータ＃Ｍ（１０Ｍ）に対してユーザ情報（コンフィグレーション）設定を行う（Ｓ１０５）。選択されたエッジルータ＃Ｍ（１０Ｍ）は、ユーザ端末にプロトコル設定応答を送信する（Ｓ１０７）。このようにして、ユーザ端末と選択されたエッジルータ＃Ｍ（１０Ｍ）との間で当該プロトコルの通信が行われる。
【００３０】
選択されたエッジルータ＃Ｍ（１０Ｍ）が故障した場合、エッジルータ＃Ｍ（１０Ｍ）は、故障情報をユーザ・網リソース管理サーバ２０に送信する（Ｓ２０１）。ユーザ・網リソース管理サーバ２０は、故障を検出したエッジルータに収容されているユーザ端末の切替先となるエッジルータを選択する。ここでは、エッジルータ＃Ｌ（１０Ｌ）が選択されたものとする。そして、ユーザ・網リソース管理サーバ２０は、切替先のエッジルータ＃Ｌ（１０Ｌ）に対してユーザ情報（コンフィグレーション）設定を行う（Ｓ２０３）。切替先のエッジルータ＃Ｌ（１０Ｌ）は、ユーザ端末にプロトコルの再設定通知を送信する（Ｓ２０５）。
【００３１】
上記のユーザ端末割付方法をＰＰＰｏＥ（PPP over Ethernet）トンネル確立要求に適用した例について説明する。
【００３２】
まず、ユーザ端末は、ＰＰＰトンネル確立要求パケット（ＰＡＤＩ：PPPoE Active Discovery Initiation）を全てのエッジルータにブロードキャストする。代表エッジルータ＃１（１０１）がＰＡＤＩを受け取ると、そのユーザ端末のＭＡＣアドレスと共にＰＡＤＩを受信した旨をユーザ・網リソース管理サーバ２０へ送信する。
【００３３】
ユーザ・網リソース管理サーバ２０は、ユーザ端末のＭＡＣアドレスと、各エッジルータのＰＰＰｏＥトンネル確立数に基づいて、ＰＰＰｏＥを終端するエッジルータを選択する。ユーザ・網リソース管理サーバ２０は、選択されたエッジルータに対して、ユーザ端末のＭＡＣアドレスを送信し、ＰＰＰｏＥトンネル確立指示を行う。
【００３４】
指示を受けたエッジルータは、ＰＰＰｏＥトンネルをエッジルータとユーザ端末間に設立するため、ＰＡＤＩに対する応答パケット（ＰＡＤＯ：PPPoE Active Discovery Offer）をユーザ端末に送信する。以降、指示を受けたエッジルータは、ＰＰＰｏＥトンネル確立フェーズをユーザ端末との間で行う。
【００３５】
上記のユーザ端末割付方法をＤＨＣＰリクエストに適用した例について説明する。
【００３６】
まず、ユーザ端末は、ＤＨＣＰリクエスト（DHCP Request）パケットを全てのエッジルータにブロードキャストする。代表エッジルータ＃１（１０１）がＤＨＣＰリクエストを受け取ると、そのユーザ端末のＭＡＣアドレスと共にＤＨＣＰリクエストを受信した旨をユーザ・網リソース管理サーバ２０へ送信する。
【００３７】
ユーザ・網リソース管理サーバ２０は、ユーザ端末のＭＡＣアドレスと、各エッジルータのＤＨＣＰによるアドレス設定数に基づいて、アドレス情報を登録するエッジルータを選択する。ユーザ・網リソース管理サーバ２０は、選択されたエッジルータに対して、ユーザ端末のＭＡＣアドレスを送信し、ＤＨＣＰによるアドレス払い出し指示を行う。
【００３８】
指示を受けたエッジルータは、ＤＨＣＰに対する応答パケット（DHCP Reply）をユーザ端末に送信する。以降、指示を受けたエッジルータは、ユーザ端末にアドレス払い出しを行う。
【００３９】
上記のユーザ端末割付方法をマルチキャスト動画視聴要求に適用した例について説明する。
【００４０】
まず、ユーザ端末は、マルチキャストチャネル動画視聴要求（視聴要求チャネルの配信サーバのアドレス及び配信チャネル番号）を全てのエッジルータにブロードキャストする。代表エッジルータ＃１（１０１）がマルチキャストチャネル動画視聴要求を受け取ると、そのユーザ端末のＭＡＣアドレスと、視聴要求チャネルの配信サーバのアドレス及び配信チャネル番号情報とをユーザ・網リソース管理サーバ２０へ送信する。
【００４１】
ユーザ・網リソース管理サーバ２０は、視聴要求チャネル情報と、ユーザのＭＡＣアドレス、各エッジルータのマルチキャスト配信数に基づいて、ユーザにマルチキャスト配信を行うエッジルータを選択する。ユーザ・網リソース管理サーバ２０は、選択されたエッジルータに対して、ユーザ端末のＭＡＣアドレスと視聴要求チャネルとを送信し、要求したチャネルをユーザ端末に配信する指示を行う。
【００４２】
指示を受けたエッジルータは、マルチキャスト転送用のユーザ情報設定を行い、ユーザ端末に対して配信を開始する。
【００４３】
＜実施例の効果＞
上記のように、本発明の実施例では、管理サーバでユーザ端末の収容状況及びユーザ情報を保持しておき、その情報に基づいてプロトコル設定要求を処理するエッジルータを選択する。このようにして、ユーザ端末をエッジルータに動的に割り付けることが可能になり、プロトコル毎に定められたエッジルータのリソースを有効活用できる。
【００４４】
また、エッジルータの故障時に、故障したエッジルータに収容しているユーザ端末を、管理サーバで保持されている収容状況に基づいて別のエッジルータに収容先を切り替えることにより、エッジルータ故障時のユーザ通信の復旧を高速化できる。
【００４５】
説明の便宜上、本発明の実施例に係るユーザ・網リソース管理サーバは機能的なブロック図を用いて説明しているが、本発明のユーザ・網リソース管理サーバは、ハードウェア、ソフトウェア又はそれらの組み合わせで実現されてもよい。例えば、ユーザ・網リソース管理サーバの各機能部がソフトウェアで実現され、プログラムとしてユーザ・網リソース管理サーバ内に実現されてもよい。また、２以上の実施例及び実施例の各構成要素が必要に応じて組み合わせて使用されてもよい。
【００４６】
以上、本発明の実施例について説明したが、本発明は、上記の実施例に限定されることなく、特許請求の範囲内において、種々の変更・応用が可能である。
【産業上の利用可能性】
【００４７】
本発明は、複数のユーザ端末が複数のエッジルータに接続されているネットワークにおいて利用可能である。
【符号の説明】
【００４８】
１０１〜１０Ｍ  エッジルータ
２０    ユーザ・網リソース管理サーバ
２０１  網リソース記憶部
２０３  ユーザ情報記憶部
２１１  プロトコル設定要求受信部
２１３  エッジルータ選択部
２１５  ユーザ情報設定部
２１７  エッジルータ故障検出部
【図１】
0005425123.tif 000002
【図２】
0005425123.tif 000003
【図３】
0005425123.tif 000004
【図４】
0005425123.tif 000005
【図５】
0005425123.tif 000006